(57)【要約】【課題】  操作者が誤った付箋に対して操作を行った際に間違いに気付き易くすることを目的とする。【解決手段】  設定対象に貼られた付箋を操作に応じためくり状態で表示し、表示されている付箋のめくり具合を検出（２０３）し、検出されためくり具合に応じて、付箋に定義付けられた設定内容の設定状態を表示（２０５）する。【選択図】  図２
2011008400.tif 000002
【特許請求の範囲】
【請求項１】
設定内容が定義された電子的な付箋を画面上の設定対象に貼ることで前記設定対象に前記設定内容を設定する情報処理装置であって、
前記設定対象に貼られた前記付箋を操作に応じためくり状態で表示する表示手段と、
前記表示手段で表示されている前記付箋のめくり具合を検出する検出手段と、
前記検出手段で検出されためくり具合に応じて、前記付箋に定義付けられた設定内容の設定状態の表示を制御する設定状態表示手段と、
を備えることを特徴とする情報処理装置。
【請求項２】
前記検出手段は、付箋がはがす状態に移行したことを検出した場合、
前記設定状態表示手段は、前記設定内容が解除された状態を示す表示をすることを特徴とする請求項１に記載の情報処理装置。
【請求項３】
前記検出手段は、付箋が貼る状態に移行したことを検出した場合、
前記設定状態表示手段は、前記設定内容が設定された状態を示す表示をすることを特徴とする請求項１に記載の情報処理装置。
【請求項４】
前記設定状態表示手段は、前記検出手段によって検出されためくり状態に応じて、前記設定内容が解除された状態を示す表示と、前記設定内容が設定された状態を示す表示との中間の状態を示すアニメーションを表示することを特徴とする請求項１に記載の情報処理装置。
【請求項５】
前記中間の状態を示す画像を生成する生成手段を更に備えることを特徴とする請求項４に記載の情報処理装置。
【請求項６】
前記検出手段は、前記付箋をめくる速度を更に検出し、前記設定状態表示手段は、該速度に応じて前記アニメーションの再生速度を制御して表示する請求項４に記載の情報処理装置。
【請求項７】
複数の異なる定義付けがされた前記付箋が同一の設定対象に貼られている場合、
前記設定状態表示手段は、めくり操作中の付箋に対応する設定内容の設定状態の表示のみを表示することを特徴とする請求項１に記載の情報処理装置。
【請求項８】
前記付箋を剥がす途中もしくは剥がし切ってしまった後でも前記付箋が貼られた状態に戻すことができる復元手段をさらに備えることを特徴とする請求項１に記載の情報処理装置。
【請求項９】
前記付箋の見た目をめくることが可能なように見える形状で表示することを特徴とする請求項１に記載の情報処理装置。
【請求項１０】
操作者が指示する座標の移動方向を検出する方向検出手段と、
前記方向検出手段で検出された前記移動方向が予め定めた方向である場合に付箋のめくり操作が行われたと判断する判断手段と、
をさらに備えることを特徴とする請求項１に記載の情報処理装置。
【請求項１１】
前記めくり具合に応じて効果音を再生する再生手段をさらに備えることを特徴とする請求項１に記載の情報処理装置。
【請求項１２】
設定内容が定義された電子的な付箋を画面上の設定対象に貼ることで前記設定対象に前記設定内容を設定する情報処理装置の制御方法であって、
前記設定対象に貼られた前記付箋を操作に応じためくり状態で表示する表示工程と、
前記表示工程で表示されている前記付箋のめくり具合を検出する検出工程と、
前記検出工程で検出されためくり具合に応じて、前記付箋に定義付けられた設定内容の設定状態の表示を制御する設定状態表示工程と、
を備えることを特徴とする情報処理装置の制御方法。
【請求項１３】
請求項１２に記載の情報処理装置の制御方法をコンピュータに実行させるためのプログラム。
【発明の詳細な説明】
【技術分野】
【０００１】
本発明は情報処理装置およびその制御方法に関する。
【背景技術】
【０００２】
近年、コピー機や複合機などの業務用機器では機能数が膨大になり、詳細機能の設定画面に１０画面以上、高機能なものでは２０画面以上必要とするものが出てきている。また、家庭用のプリンターなどにおいても画面が小さいために機能を表示し切れず、機能設定画面に複数の画面を必要としている。このため、例えば設定した機能を解除したい場合に、複数ある機能設定画面の中から所望の機能を探し、画面を切り替えなければならず面倒であった。また、所望の機能が見つかったとしても解除するために初期設定に戻す必要があり、初期設定が何であるかを覚えておかなければならず不便であった。
【０００３】
これに対して特許文献１では機能内容を示す付箋を画面上に用意し、その付箋を貼ったり剥がしたりすることで機能を設定したり解除したりすることができるというものが開示されている。これによれば設定を解除する際には設定した付箋を剥がすだけで良いため、複数の画面を切り替える必要が無くなる。また、付箋を剥がすだけで設定が解除されて初期値に戻るため、初期設定を覚えておく必要がなくなる。
【先行技術文献】
【特許文献】
【０００４】
【特許文献１】特開平０８−２７９０１２号公報
【発明の概要】
【発明が解決しようとする課題】
【０００５】
しかしながら、特許文献１のような付箋を用いたＵＩにおいて、付箋を間違って剥がしてしまった場合、付箋が消えてしまい、再度設定をやり直すという手間が掛かる。また、間違った機能の付箋を貼ってしまった場合、機能名が書かれた付箋が貼られただけでは間違ったことに気付かずにそのまま処理を実行してしまう可能性がある。
【０００６】
よって、本発明は上記課題に鑑みてなされたものであり、操作者が誤った付箋に対して操作を行った際に間違いに気付き易くすることを目的とする。
【課題を解決するための手段】
【０００７】
上記の目的を達成するための本発明の情報処理装置は、設定内容が定義された電子的な付箋を画面上の設定対象に貼ることで前記設定対象に前記設定内容を設定する情報処理装置であって、前記設定対象に貼られた前記付箋を操作に応じためくり状態で表示する表示手段と、前記表示手段で表示されている前記付箋のめくり具合を検出する検出手段と、前記検出手段で検出されためくり具合に応じて、前記付箋に定義付けられた設定内容の設定状態の表示を制御する設定状態表示手段とを備えることを特徴とする。
【０００８】
また、上記の目的を達成するための本発明の情報処理装置の制御方法は、設定内容が定義された電子的な付箋を画面上の設定対象に貼ることで前記設定対象に前記設定内容を設定する情報処理装置の制御方法であって、前記設定対象に貼られた前記付箋を操作に応じためくり状態で表示する表示工程と、前記表示工程で表示されている前記付箋のめくり具合を検出する検出工程と、前記検出工程で検出されためくり具合に応じて、前記付箋に定義付けられた設定内容の設定状態の表示を制御する設定状態表示工程と、
を備えることを特徴とする。
【発明の効果】
【０００９】
本発明によれば、付箋を貼る操作、または付箋を剥がす操作中に設定状態の表示をするため、何の操作をしているかがわかりやすい。
【図面の簡単な説明】
【００１０】
【図１】本発明における情報処理装置のハードウェア構成の一例を示すブロック図である。
【図２】本発明における情報処理装置のソフトウェア構成の一例を示すブロック図である。
【図３】付箋を剥がす際のめくり具合に応じてプレビューを表示する一例を示す図である。
【図４】プレビューがアニメーションを伴って表示される一例を示す図である。
【図５】付箋を剥がす際のめくり具合に応じてプレビューを表示する一例を示す図である。
【図６】中間画像を用いてプレビューが段階的に表示される一例を示す図である。
【図７】付箋を貼る際のめくり具合に応じてプレビューを表示する一例を示す図である。
【図８】付箋のめくり具合に応じた表示処理のフローチャートである。
【図９】付箋のめくり具合に応じてアニメーションの状態を制御する一例を示す図である。
【図１０】付箋のめくり具合に応じて中間画像を切り替えて表示する一例を示す図である。
【図１１】付箋のめくり具合に応じて変化の割合を制御する表示変化処理のフローチャートである。
【図１２】めくり操作中の付箋を明示する一例を示す図である。
【図１３】めくり操作中の付箋との対応を明示する表示処理のフローチャートである。
【図１４】付箋を示す図である。
【発明を実施するための形態】
【００１１】
以下、添付図面を参照して本発明に係る実施の形態を詳細に説明する。ただし、この実施の形態に記載されている構成要素はあくまでも例示であり、本発明の範囲をそれらのみに限定する趣旨のものではない。また、本実施の形態で説明されている特徴の組み合わせの全てが発明の解決手段に必須のものとは限らない。
【００１２】
［実施例１］
本実施例においては、画面内に貼られたように表示された電子的な付箋（以下、付箋とする）のめくり具合に応じて当該付箋の設定内容の設定状態を表示する実施例を、図面を参照しながら説明する。
【００１３】
図１は本実施例における情報処理装置１００のハードウェア構成の一例を示すブロック図である。１０２はＣＰＵ（Ｃｅｎｔｒａｌ  Ｐｒｏｃｅｓｓｉｎｇ  Ｕｎｉｔ）であり、フロー等を用いて後述する各種処理のための演算や論理判断などを行い、バス１０１に接続された各構成要素を制御する。
【００１４】
この情報処理装置１００には、プログラムメモリとデータメモリを含むメモリが搭載されている。プログラムメモリには、フローチャートにより後述する各種処理手順を含むＣＰＵによる制御のためのプログラムを格納する。このメモリはＲＯＭ（Ｒｅａｄ−Ｏｎｌｙ  Ｍｅｍｏｒｙ）１０３であってもよいし、外部記憶装置などからプログラムがロードされるＲＡＭ（Ｒａｎｄｏｍ  Ａｃｃｅｓｓ  Ｍｅｍｏｒｙ）１０４であってもよい。あるいは、これらの組み合わせで実現しても構わない。
【００１５】
１０５は本実施例に係るデータやプログラムを記憶しておくためのハードディスクなどの記憶装置である。また、記憶装置１０５と同様の役割を果たすものとして、外部記憶装置１０６を用いてもよい。ここで、外部記憶装置１０６とは、例えば、メディア（記録媒体）と、当該メディアへのアクセスを実現するための外部記憶ドライブとで実現することができる。このようなメディアとしては、例えば、フレキシブルディスク（ＦＤ）、ＣＤ−ＲＯＭ、ＤＶＤ、ＵＳＢメモリ、ＭＯ、フラッシュメモリ等が知られている。本実施例において必要な情報は、ＲＡＭ１０４や記憶装置１０５、外部記憶装置１０６に保持される。
【００１６】
１０７は外部装置からの情報を入力するための情報入力装置である。本実施例においては操作者の付箋に対する操作やその他情報処理装置に対する操作が入力される。入力する方法としては例えば、マウス、トラックボール等のポインティングデバイスや、タッチ入力等が考えられる。
【００１７】
１０８は情報処理装置１００にて処理された結果や保持している情報を外部装置に出力するための情報出力装置である。本実施例においては情報処理装置１００にて生成された付箋画像や、それに関わる表示等の画面表示を行うための情報を出力し、画面表示装置等にて表示される。
【００１８】
図２は本実施例における情報処理装置１００のソフトウェア構成の一例を示すブロック図である。
【００１９】
２０１は操作入力処理部であり、情報入力装置１０７より入力された情報処理装置１００に対する操作要求を受け付ける。ここでは、受け付けた操作の位置から操作対象を特定したり、受け付けた操作要求の内容を判別したりする。また、特定された操作対象や受け付けた操作の内容に応じて対応する他の処理部に対して処理を依頼する。
【００２０】
２０２はドラッグ操作移動量計測部であり、ドラッグ操作の移動量を計測する。ドラッグ操作移動量計測部２０２は、操作入力処理部２０１にて操作対象が付箋であり、受け付けた操作がドラッグ操作だと判別された場合に呼び出される。
【００２１】
２０３は付箋めくり具合制御部であり、ドラッグ操作移動量計測部２０２にて計測されたドラッグ移動量に応じて、付箋のめくり具合を変化させる。変化させた付箋は情報出力装置１０８を通して画面に対して出力され、画面に変化した付箋の画像が表示される。付箋のめくり具合は、付箋が貼られた状態からドラッグ操作を行った場合はドラッグ移動量が大きくなるほど付箋はめくれていくように描画する。付箋が剥がれている状態からドラッグ操作を行った場合はドラッグ移動量が大きくなるほど付箋は貼られていき、めくり具合は小さくなるように描画する。
【００２２】
２０４は付箋めくり具合検出部であり、付箋めくり具合制御部２０３にて変化させた付箋のめくり具合を検出する。めくり具合は、付箋が貼られた状態を１００％ととして、めくられた状態が何％であるかというような割合で検出される。他の検出例としては、めくれた長さが何ピクセルであるかを検出しても良いし、めくれ幅が閾値を超えたかどうかを検出するとしても良い。また、ドラッグ移動量と付箋のめくり具合が対応関係にあるため、めくり具合はドラッグ操作移動量計測部２０２にて計測されたドラッグ移動量から直接判断しても良い。
【００２３】
２０５は設定状態表示部であり、付箋めくり具合検出部２０４にて検出された付箋のめくり割合や、付箋のめくる方向や、閾値を超えたかどうかの判定結果などに基づいて付箋の設定内容の設定状態を表示する。具体的には、付箋には情報処理装置１００に搭載された機能の設定内容が定義付けられており、付箋が付された設定対象に対してその設定内容が設定もしくは解除された状態の表示へと変化させる。付箋がはがす状態に移行した場合、つまり、付箋をめくる方向が付箋を剥がす方向にめくられて、所定の閾値を越えた場合には付箋が剥がされてしまう前のめくり状態において、付箋が剥がされた状態、すなわち機能が解除された状態の表示へと変化させる。付箋が貼る状態に移行した場合、つまり、反対に付箋を貼って行く方向にめくられて、所定の閾値を越えた場合は、付箋が貼られた状態、すなわち機能が設定された状態の表示へと変化させる。
【００２４】
次に、本発明における情報処理装置１００がコピー機や複合機等の印刷機器に搭載された場合を例に挙げて、付箋のめくり具合に応じてプレビューが変化する様子について、図３を参照して説明する。図３は、付箋を剥がす際のめくり具合に応じてプレビューが変化する一例を示す概念図である。
【００２５】
図３（ａ）は印刷機器に対して横向き印刷を設定した場合の画面表示例を示した図である。
【００２６】
３０１は画面であり、印刷機器に搭載されたものである。印刷機器に搭載されている画面であるため、大きさはそれほど大きくなく、解像度もそれほど高くないものを想定している。
【００２７】
３０２はプレビューであり、設定対象である印刷機能に対応させて実際に印刷される用紙を模したものとなっている。このプレビュー上に印刷機器に設定された機能の内容に従って実際に印刷した状態を模して表示がされる。
【００２８】
３０３は付箋であり、印刷機器に設定可能な機能と対応付けられており、この付箋を設定対象に対応する用紙のプレビュー上に貼ることで対応付けられた機能を印刷機器に設定することができる。ここでは一例として横向き印刷機能を示した付箋を貼った場合を例に挙げている。横向き印刷機能を示した付箋を貼っているため、印刷機器には横向き印刷機能が設定されており、前述のプレビュー３０２は横向き状態の用紙を模した表示となっている。また、ここでは、用紙のプレビュー上に付箋を貼ることで印刷機能を設定しているが、画面上の全てで印刷機能の設定を可能としても良いし、設定内容に応じて場所を変えてもよい。また、付箋ののりしろ部分に該当する左端部が、接している部分が設定の対象とするようにしてもよい。
【００２９】
３０４はポインタであり、情報入力装置１０７を介して入力されたポインティングデバイスやタッチ等により指示された位置を示している。タッチによる入力の場合は、ポインタ３０４を表示せず、タッチされた位置をそのまま情報処理装置内部で処理しても良い。また、ポインタの形状は矢印に限定されるものではなく、指示された位置を指し示せるものであればどのような形状でも構わない。本実施例では、ポインタ３０４をドラッグ操作により左方向に移動させた場合、付箋３０３をめくることができるものとする。
【００３０】
図３（ｂ）は図３（ａ）のように設定されていた横向き印刷の付箋を剥がす操作を行った場合の一例を示した図である。
【００３１】
３０５はポインタであり、図３（ａ）におけるポインタ３０４を左方向にドラッグ操作を行った場合を示している。操作入力処理部２０１では、ドラッグ操作が入力されたことを認識し、そのドラッグ操作が付箋の上で行われたことを検出したため、ドラッグ操作移動量計測部２０２に移動量の計測を依頼する。ドラッグ操作移動量計測部２０２ではドラッグの移動量を計測し、付箋めくり具合制御部２０３にドラッグ移動量を通知する。付箋めくり具合制御部２０３では通知されたドラッグ移動量に応じて付箋のめくり具合を決定する。
【００３２】
３０６は付箋であり、ドラッグ移動量に応じて付箋めくり具合制御部２０３が決定した付箋のめくり具合にて表示を行った状態である。めくり具合の制御はドラッグ移動量と付箋のめくり具合の対応関係を予め規定しておき、ドラッグ操作が行われた際にその移動量からめくり具合を取得すれば良い。本図の例においてはポインタ３０５の位置までドラッグ操作を行った際の移動量では、付箋が半分程度までめくれたようにすると規定しておいた場合の例である。
【００３３】
この時、付箋をめくり中であることを示す効果音を再生しても良い。例えば、ある一定以上めくった場合に効果音を再生しても良いし、めくるに従って音程が上がったり再生速度が上がったりするような効果音を再生しても良い。
【００３４】
３０７はプレビューであり、横向き印刷の設定が解除され、初期値である縦向き印刷に戻った場合の状態を示している。これは、付箋めくり具合検出部２０４が付箋が半分程度までめくられたことを検出し、予め規定していた閾値を超えて付箋がめくられたと判断し、設定状態表示部２０５に付箋解除状態の表示への変化を依頼したためである。設定状態表示部２０５では付箋の設定内容である横向き印刷に関連する表示を解除状態の表示へと変化させようとする。その結果、本図のようにプレビューが横向き印刷状態から縦向き印刷状態に変化する。ここで、プレビュー表示が変更されたが、横向き印刷の設定自体は解除されていないものとする。
【００３５】
また、図３（ｂ）の状態からポインタ３０５を右方向へドラッグ操作し、ポインタ３０４の位置へ戻せば、付箋３０６を貼り直すことが可能で、付箋は付箋３０３の状態に戻り、横向き印刷設定状態に戻すことも可能である。そうすることで、プレビューもプレビュー３０７の状態からプレビュー３０２の状態に戻り、横向き印刷設定状態に戻ったことを確認できる。プレビューが変化するのは、図３（ｂ）の状態で付箋めくり具合検出部２０４が閾値を超えたと判断した付箋のめくり具合が、閾値を超えない範囲に戻ったと判断した際に付箋設定状態の表示への変化を依頼するためである。
【００３６】
更に、付箋を剥がし切ってしまった後においても、付箋が貼られた状態の戻す復元機能を設けても良い。例えば、復元を意味するハードボタンや、画面上のボタンに対する操作、タッチ操作によるジェスチャ入力等により復元が指示された場合には、直前に剥がした付箋を貼られた状態に復元するとしても良い。
【００３７】
また、本図の例ではプレビュー表示が変化する例を示したが、実体部分を変化させても良い。例えば、ドキュメント作成アプリケーションのようなもので、太字設定の付箋を剥がす場合、実際に太字設定されて表示されていたドキュメントの太字表示が付箋をめくっている途中で通常表示に戻っても良い。
【００３８】
また、複数の付箋が同時に貼られていた場合においては、めくり操作を行った付箋に関連する表示のみが変化する。他の貼られた状態にある付箋に関連する表示については変化しないものとする。ただし、複数のタッチ操作を検出することができるタッチパネルを用いた場合には、複数の付箋を同時に操作することを可能にしても良い。その場合は、めくり操作をされた全ての付箋に関連する表示が変化し、他の付箋に関連する表示は変化しないものとする。
【００３９】
また、複数のプレビューが存在した場合には、付箋が貼られたプレビューのみ表示が変化するとしても良い。更に、複数のプレビュー間で、付箋の貼り変えや、コピーが行えるとしても良い。
【００４０】
このように、本図の例においては、付箋を剥がして付箋が消えてしまう前の付箋を剥がす操作を行っている最中に、付箋を剥がした場合の状態をプレビューにて確認できる。このため、操作者は、本当に付箋を剥がしても良いのかを確認してから付箋を剥がすことができる。その上で剥がしては良くないものだと判断した場合には付箋を貼り直すことも可能であるため、操作の間違いを減らすことが可能となる。
【００４１】
次に、本発明における付箋のめくり具合に応じてプレビューがアニメーションを伴って変化する様子の一例について、図４を参照して説明する。図４は、プレビューがアニメーションを伴って変化する一例を示す図である。
【００４２】
図４（ａ）から図４（ｃ）は、図３（ａ）のプレビュー３０２から図３（ｂ）のプレビュー３０７へと変化するまでをアニメーション表示させた場合の変化の途中状態を示している。横向き印刷を解除する場合には、図３（ａ）のプレビュー３０２、図４（ａ）のプレビュー４０１、図４（ｂ）のプレビュー４０２、図４（ｃ）のプレビュー４０３、図３（ｂ）のプレビュー３０７の順でアニメーションが行われる。実施の際には図４（ａ）から図４（ｃ）のような３枚の画像だけではなく、もっと多数の中間画像を設けて滑らかにアニメーションをさせても良い。
【００４３】
ここで、図３の例では、図３（ａ）のプレビュー３０２から図３（ｂ）のプレビュー３０７へ突然変化した場合は、違いが良く分らなかったり、変化を見落としてしまうことが考えられる。しかし、本図のようにアニメーションを伴って変化することにより、どのように変化したかが分り易くなる。
【００４４】
また、付箋をめくる操作指示の移動速度を検出する速度検出手部を設け、操作指示の移動速度に応じてアニメーションの速度を変えても良い。例えば、付箋をめくる操作指示であるドラッグ操作の移動加速度や移動速度に応じてアニメーションの速度を変えるなどがある。具体的にはドラッグ移動加速度や移動速度が速かった場合にはアニメーションも速く再生し、遅かった場合にはアニメーションも遅く再生する。ドラッグ移動加速度や移動速度とアニメーションの速度との関係は予め規定しておけば良い。アニメーションの速度を上げる際にはアニメーションのコマの切り替え速度を上げても良いし、コマを飛ばしても良い。アニメーションを遅くする際には、コマの切り替え速度を下げても良いし、コマとコマとの間の中間画像を生成して間に入れて再生しても良い。
【００４５】
次に、本発明における付箋のめくり具合に応じてプレビューが変化する様子の他の一例について、図５を参照して説明する。図５は、付箋を剥がす際のめくり具合に応じてプレビューが変化する他の一例を示す概念図である。
【００４６】
図５（ａ）は印刷機器に対して２ｉｎ１印刷を設定した場合の画面表示例を示した図である。
【００４７】
５０１はプレビューであり、用紙が縦向きとなっている状態を示している。
【００４８】
５０２は付箋であり、２ｉｎ１印刷機能を示した付箋を貼った場合を例に挙げている。このため、前述のプレビュー５０１は２ｉｎ１設定表示５０４のように２ページ分が１ページ内に印刷されることを示す表示がされている。
【００４９】
５０３はポインタであり、付箋５０２を指し示した状態である。
【００５０】
図５（ｂ）は図５（ａ）のように設定されていた２ｉｎ１印刷の付箋を剥がす操作をした場合の一例を示した図である。
【００５１】
５０５はポインタであり、図５（ａ）におけるポインタ５０３を左方向にドラッグ操作を行った場合を示している。図３（ｂ）と同様に、付箋に対するドラッグ操作を認識し、付箋めくり具合制御部２０３がドラッグの移動量から付箋のめくり具合を決定する。
【００５２】
５０６は付箋であり、付箋めくり具合制御部２０３が決定した付箋のめくり具合にて表示を行った状態である。図３（ｂ）と同様に、ドラッグ操作により付箋を半分程度までめくった状態を示している。
【００５３】
５０７はプレビューであり、２ｉｎ１印刷の設定が解除された場合の状態を示している。このため、図５（ａ）にあった２ｉｎ１設定表示５０４の表示がなくなっている。
【００５４】
次に、本発明における機能設定状態と機能解除状態のプレビューの中間画像を生成して、プレビューの変化を段階的に見せる様子の一例について、図６を参照して説明する。
【００５５】
図６は、中間画像を用いてプレビューが段階的に変化する一例を示す図である。
【００５６】
図６（ａ）から図６（ｃ）は、図５（ａ）のプレビュー５０１から図５（ｂ）のプレビュー５０７へと変化するまでを中間画像を用いて段階的に変化させた場合の変化の途中状態を示している。図５（ｂ）のプレビュー５０７は、図５（ａ）のプレビュー５０１上の２ｉｎ１設定表示５０４が消えただけであるが、その間の中間画像として、２ｉｎ１設定表示５０４が少しずつ薄くなった状態の画像をいくつか生成する。これにより、２ｉｎ１印刷を解除する場合には、図５（ａ）のプレビュー５０１、図６（ａ）のプレビュー６０１、図６（ｂ）のプレビュー６０２、図６（ｃ）のプレビュー６０３、図５（ｂ）のプレビュー５０７の順で表示が行われる。これにより、図４にて説明したアニメーションと同様の効果が得られ、プレビュー表示の変化の見落としを減らすことができる。また、中間画像を生成するためには、モーフィング等の技術を利用して、形や位置が変わる中間画像を生成しても良い。中間画像の切り替え速度を上げる際には一部の中間画像の表示を飛ばしてしまっても良い。
【００５７】
また、付箋をめくる操作のドラッグ移動加速度や移動速度に応じて中間画像の切り替え速度を変えても良い。例えばドラッグ移動加速度や移動速度が速かった場合には中間画像の切り替え速度も速くし、遅かった場合には中間画像の切り替え速度も遅くする。ドラッグ移動加速度や移動速度と中間画像の切り替え速度との関係は予め規定しておけば良い。
【００５８】
次に、本発明における付箋を貼る際の付箋のめくり具合に応じてプレビューが変化する様子の一例について、図７を参照して説明する。図７は、付箋を貼る際のめくり具合に応じてプレビューが変化する一例を示す概念図である。
【００５９】
図７（ａ）はこれから横向き印刷の付箋を貼ろうとしている状態の画面表示の一例を示している。
【００６０】
７０１はプレビューであり、まだ何も設定されていない初期状態のプレビューを示している。この時、印刷の向きは初期値の縦向きであり、プレビューも縦向きとなっている。
【００６１】
７０２は付箋であり、これから付箋を貼ろうとしている状態である。付箋７０２は８割程度めくれた状態である。
【００６２】
７０３はポインタであり、付箋７０２を指し示してる。この状態から右方向にドラッグ操作することにより付箋を貼っていくことができるものとする。
【００６３】
図７（ｂ）は付箋を半分程度まで貼り進めた状態を示した画面表示の一例を示している。
【００６４】
７０４はポインタであり、図７（ａ）のポインタ７０３をドラッグ操作により右方向へと移動した状態を示している。
【００６５】
７０５は付箋であり、半分程度まで付箋が貼られた状態を示している。付箋が半分程度まで貼られたことで、付箋めくり具合検出部２０４が閾値を超えてめくられていた付箋が閾値以内のめくり具合になったと判断し、設定状態表示部２０５に付箋設定された状態への表示変化依頼をする。
【００６６】
７０６はプレビューであり、依頼を受けた設定状態表示部２０５が付箋７０５に対応付けられた横向き印刷の設定がされた場合のプレビューに変化させた状態を示している。プレビューは横向きに変化し、横向き印刷が設定された場合の状態を表示している。ただし、プレビュー表示のみが変化し、付箋７０５はまだ半分程度までしか貼っていないため、横向き印刷の機能自体は設定されていない。
【００６７】
このように、付箋を貼り終えてしまう前に付箋を貼った場合の状態をプレビューにて確認できるため、間違った付箋を貼ってしまうといった誤操作を減らすことができる。
【００６８】
次に、本発明における付箋のめくり具合に応じてプレビュー等の付箋設定に関する表示を変化させる処理の一例について、図８を参照して説明する。図８は、付箋のめくり具合に応じた表示変化処理の一例を示すフローチャートである。
【００６９】
ステップＳ８０１は付箋めくり具合検出処理であり、付箋がどの程度めくられた状態にあるかを検出する処理である。検出する単位は、付箋が何割程度めくられているかを示す割合でも良いし、めくられた部分のピクセル数等を用いても良い。
【００７０】
ステップＳ８０２はステップＳ８０１にて検出された付箋のめくり具合が予め規定された閾値を超えているかを判断する。付箋のめくり具合が閾値を超えていると判断された場合、ステップＳ８０３へと進む（ステップＳ８０２にてＹＥＳ）。付箋のめくり具合が閾値を超えていないと判断された場合、ステップＳ８０５へと進む（ステップＳ８０２にてＮＯ）。
【００７１】
ステップＳ８０３はステップＳ８０１にて検出された付箋に対応付けられた機能が現在設定されているかどうかを判断する。機能が設定されていると判断された場合はステップＳ８０４へと進む（ステップＳ８０３にてＹＥＳ）。
【００７２】
ステップＳ８０４は設定解除表示変化処理であり、ステップＳ８０１にて検出された付箋に対応付けられた機能が設定解除された場合と同様の表示へと変化させる処理を行う。これにより、機能の設定自体は解除されていないが、付箋が閾値以上にめくられた場合に機能があたかも解除されたかのように表示を変化させることが可能となる。
【００７３】
ステップＳ８０３にて機能が設定されていないと判断された場合はそのまま何もせず処理を終了する（ステップＳ８０３にてＮＯ）。これは付箋が閾値以上にめくられたとしても、初めから機能が設定されていない状態であれば表示を変化させる必要が無いためである。
【００７４】
ステップＳ８０５はステップＳ８０１にて検出された付箋に対応付けられた機能が現在設定されていないかどうかを判断する。機能が設定されていないと判断された場合はステップＳ８０６へと進む（ステップＳ８０５にてＹＥＳ）。
【００７５】
ステップＳ８０６は機能設定表示変化処理であり、ステップＳ８０１にて検出された付箋に対応付けられた機能が設定された場合と同様の表示へと変化させる処理を行う。これにより、機能の設定自体はされていないが、付箋が閾値以内のめくれ状態となった場合に機能があたかも設定されたかのように表示を変化させることが可能となる。
【００７６】
ステップＳ８０５にて機能が設定されていると判断された場合はそのまま何もせず処理を終了する（ステップＳ８０５にてＮＯ）。これは付箋が以内のめくれ状態になったとしても、既に機能が設定されている状態であれば表示を変化させる必要が無いためである。
【００７７】
以上のように、本発明によれば、付箋を貼る操作、または付箋を剥がす操作中に設定状態の表示をするため、何の操作をしているかがわかりやすい。更に、機能と対応付けられた付箋を貼る操作、剥がす操作の途中で操作の結果の状態を知ることができるため、操作の間違いを減らすことが可能となる。
【００７８】
［実施例２］
本実例においては、付箋のめくり具合に合わせて当該付箋に関連する表示を徐々に変化させる実施例を、図面を参照しながら説明する。ハードウェア構成等は実施例１で説明したものと同様である。
【００７９】
まずは、本発明における付箋のめくり具合の割合に合わせてアニメーションの状態を決定し、プレビューの変化を付箋の操作に追従させて表示する一例について、図９を参照して説明する。図９は付箋のめくり具合に応じてアニメーションの状態を制御する一例を示す概念図である。
【００８０】
図９（ａ）から図９（ｃ）は図４のようにプレビューが横向き印刷状態の表示から縦向き印刷状態の表示へとアニメーションをしている例を示している。ただし、図４とは違い、付箋のめくり具合に合わせてアニメーションの状態を制御している。
【００８１】
図９（ａ）では付箋を２割程度めくった状態であり、付箋が２割程度めくられたことによりプレビューにて横向き印刷を解除する方向のアニメーションが２割程度再生されている。
【００８２】
９０１はポインタであり、付箋上で左方向へのドラッグ操作を行った状態を示している。
【００８３】
９０２は付箋であり、ポインタ９０１によるドラッグ操作により２割程度めくられた状態を示している。これにより、付箋めくり具合検出部２０４は付箋のめくり具合が２割程度であることを検出する。その後、設定状態表示部２０５に対して付箋に対応付けられた横向き印刷の設定が解除される方向での表示の変化を２割程度進めるように依頼する。
【００８４】
９０３はプレビューであり、設定状態表示部２０５により横向き印刷状態の表示から解除の方向へ２割程度アニメーションが進められた再生位置で表示を行っている状態を示している。この時、ポインタ９０１を図９（ａ）の位置で止めた場合、アニメーションはプレビュー９０３の再生位置で停止する。
【００８５】
図９（ｂ）は図９（ａ）の付箋のめくり具合をさらに進めて半分程度めくった状態を示している。
【００８６】
９０４はポインタであり、図９（ａ）よりさらに左方向へドラッグ操作を行った状態を示している。
【００８７】
９０５は付箋であり、ポインタ９０４によるドラッグ操作により半分程度めくられた状態を示している。これにより、設定状態表示部２０５に対して横向き印刷の設定が解除される方向での表示の変化を半分程度進めるように依頼される。
【００８８】
９０６はプレビューであり、設定状態表示部２０５により横向き印刷状態の表示から解除の方向へ半分程度アニメーションが進められた再生位置で表示を行っている状態を示している。これにより、図９（ａ）に比べてプレビューが横方向から縦方向に少し傾きが進んだ状態となっている。
【００８９】
図９（ｃ）は図９（ｂ）の付箋のめくり具合をさらに進めて８割程度めくった状態を示している。
【００９０】
９０７はポインタであり、図９（ｂ）よりさらに左方向へドラッグ操作を行った状態を示している。
【００９１】
９０８は付箋であり、ポインタ９０７によるドラッグ操作により８割程度めくられた状態を示している。これにより、設定状態表示部２０５に対して横向き印刷の設定が解除される方向での表示の変化を８割程度進めるように依頼される。
【００９２】
９０９はプレビューであり、設定状態表示部２０５により横向き印刷状態の表示から解除の方向へ８割程度アニメーションが進められた再生位置で表示を行っている状態を示している。これにより、図９（ｂ）に比べてプレビューが横方向から縦方向に傾きが更に進んだ状態となっている。
【００９３】
このように、図９（ａ）の状態から左方向へドラッグ操作を行い、付箋のめくれた割合に応じて、図９（ａ）、図９（ｂ）、図９（ｃ）の順にプレビューが変化していくことになる。つまり、付箋を剥がす方向で操作を行うと、付箋操作に追従して縦向き印刷の状態になるようにアニメーションが行われることになる。
【００９４】
また、図９（ｃ）の状態から右方向へドラッグ操作を行い、付箋を貼っていくように操作した場合には、前述の例とは反対に図９（ｃ）、図９（ｂ）、図９（ａ）の順にプレビューが変化していくことになる。つまり、付箋を貼る方向で操作を行うと、付箋操作に追従して横向き印刷の状態になるようにアニメーションが行われることになる。
【００９５】
このように、付箋をめくった割合に合わせてプレビューのアニメーションの状態を変えて表示させることにより、操作者の付箋をめくる操作に追従するようにプレビューが変化することになる。これにより、操作者は操作に追従したアニメーションによるプレビューの変化から、操作の方向性を知ることができ、操作が正しいものであるかの判断がし易くなる。
【００９６】
次に、本発明における付箋のめくり具合の割合に合わせて中間画像を切り替えてプレビューの変化を付箋の操作に追従させて表示する一例について、図１０を参照して説明する。図１０は、付箋のめくり具合に応じて中間画像を切り替えて表示する一例を示す概念図である。
【００９７】
図１０（ａ）から図１０（ｃ）は図６のようにプレビューが２ｉｎ１印刷状態の表示から初期状態の表示へと変化する際の中間画像を生成し、変化を段階的に表示している例を示している。ただし、図４とは違い、付箋のめくり具合に合わせて中間画像を選択し、表示している。
【００９８】
図１０（ａ）では付箋を２割程度めくった状態であり、付箋が２割程度めくられたことによりプレビューが２ｉｎ１印刷を解除する方向の中間画像のうち２割程度進んだ画像を選択し、表示している。
【００９９】
１００１はポインタであり、付箋上で左方向へのドラッグ操作を行った状態を示している。
【０１００】
１００２は付箋であり、ポインタ１００１によるドラッグ操作により２割程度めくられた状態を示している。これにより、付箋めくり具合検出部２０４は付箋のめくり具合が２割程度であることを検出する。その後、設定状態表示部２０５に対して付箋に対応付けられた２ｉｎ１印刷の設定が解除される方向での表示の変化を２割程度進めるように依頼する。
【０１０１】
１００３はプレビューであり、設定状態表示部２０５により２ｉｎ１印刷状態の表示から解除の方向へ２割程度進んだ中間画像を表示している状態を示している。この時、ポインタ１００１を図１０（ａ）の位置で止めた場合、プレビュー１００３の中間画像の表示状態で停止する。
【０１０２】
図１０（ｂ）は図１０（ａ）の付箋のめくり具合をさらに進めて半分程度めくった状態を示している。
【０１０３】
１００４はポインタであり、図１０（ａ）よりさらに左方向へドラッグ操作を行った状態を示している。
【０１０４】
１００５は付箋であり、ポインタ１００４によるドラッグ操作により半分程度めくられた状態を示している。これにより、設定状態表示部２０５に対して２ｉｎ１印刷の設定が解除される方向での表示の変化を半分程度進めるように依頼される。
【０１０５】
１００６はプレビューであり、設定状態表示部２０５により２ｉｎ１印刷状態の表示から解除の方向へ半分程度進んだ中間画像を表示している状態を示している。これにより、図９（ａ）に比べてプレビューの２ｉｎ１印刷設定の表示が薄くなっている。
【０１０６】
図１０（ｃ）は図１０（ｂ）の付箋のめくり具合をさらに進めて８割程度めくった状態を示している。
【０１０７】
１００７はポインタであり、図１０（ｂ）よりさらに左方向へドラッグ操作を行った状態を示している。
【０１０８】
１００８は付箋であり、ポインタ１００７によるドラッグ操作により８割程度めくられた状態を示している。これにより、設定状態表示部２０５に対して２ｉｎ１印刷の設定が解除される方向での表示の変化を８割程度進めるように依頼される。
【０１０９】
１００９はプレビューであり、設定状態表示部２０５により２ｉｎ１印刷状態の表示から解除の方向へ８割程度進んだ中間画像を表示している状態を示している。これにより、図９（ｂ）に比べてプレビューの２ｉｎ１印刷設定の表示が更に薄くなっている。
【０１１０】
このように、図１０（ａ）の状態から左方向へドラッグ操作を行い、付箋を剥がすように操作した場合には、図１０（ａ）、図１０（ｂ）、図１０（ｃ）の順にプレビューが変化していくことになる。つまり、付箋を剥がす方向で操作を行うと、付箋操作に追従して２ｉｎ１設定状態のプレビューから初期状態のプレビューへと中間画像が段階的に表示されることになる。
【０１１１】
また、図１０（ｃ）の状態から右方向へドラッグ操作を行い、付箋を貼っていくように操作した場合には、前述の例とは反対に図１０（ｃ）、図１０（ｂ）、図１０（ａ）の順にプレビューが変化していくことになる。つまり、付箋を貼る方向で操作を行うと、付箋操作に追従して２ｉｎ１印刷の状態になるように中間画像が段階的に表示されることになる。
【０１１２】
このように、付箋をめくった割合に合わせてプレビューの中間画像を変えて表示させることにより、操作者の付箋をめくる操作に追従するようにプレビューが変化することになる。これにより、操作者は操作に追従した段階的なプレビューの変化から、操作の方向性を知ることができ、操作が正しいものであるかの判断がし易くなる。
【０１１３】
次に、本発明における付箋のめくり具合に応じて変化の割合を制御する処理の一例について、図１１を参照して説明する。図１１は、付箋のめくり具合に応じて変化の割合を制御する表示変化処理の一例を示すフローチャートである。
【０１１４】
ステップＳ８０１は付箋めくり具合検出処理であり、図８の説明にて述べた通り、付箋がどの程度めくられた状態にあるかを検出する。ここでは付箋がめくれた割合を検出するものとする。
【０１１５】
ステップＳ１１０１では、機能設定状態の表示と未設定状態の表示との間の中間画像が予め用意されているかを判断する。予め中間画像が用意されていた場合は次のステップＳ１１０２の処理をスキップする（ステップＳ１１０１にてＹＥＳ）。予め中間画像が用意されていない場合はステップＳ１１０２に進む（ステップＳ１１０１にてＮＯ）。
【０１１６】
ステップＳ１１０２は中間画像生成処理であり、機能設定状態の表示と未設定状態の表示との間の中間画像を生成する処理である。中間画像の生成はモーフィング等の技術を使い、変化の途中状態を計算により導き出して、画像として生成する。また、本図の例では表示変化処理フローに中間画像生成処理を入れているが、予め情報処理装置の起動時などの処理フローにて中間画像を生成しておいても良い。
【０１１７】
ステップＳ１１０３は表示中間画像選択処理であり、予め用意された中間画像もしくはステップＳ１１０２にて生成された中間画像の中から表示すべき画像を選択する処理である。例えば、ステップＳ８０１にて検出した付箋のめくり具合の割合と、中間画像の全体の中で表示される表示順の割合が近い画像を選択する。具体的には、付箋が２割程度めくられた状態を検出した場合には、中間画像も全体に対して２割程度進んだ表示順の画像を選択する。例えば９枚の中間画像があり、付箋が２割程度めくられた場合は表示順の２番目の画像が選択され、付箋が５割程度めくられた場合は表示順の５番目の画像が選択されるとすれば良い。また、めくり操作にマージンを設けるため、めくり始めて２割程度までは表示を変えないとしても良い。そして、めくり具合が８割程度まできた時点で機能が解除された状態の表示としてしまっても良い。
【０１１８】
以上のように、本実施例の情報処理装置１００においては、付箋をめくった割合に合わせてプレビューのアニメーションの状態を変えて表示させることが可能となる。これにより、操作者の付箋をめくる操作に追従するようにプレビューが変化することになり、操作者は操作の方向性を理解し易くなり、操作が正しいものであるかの判断がし易くなる。
【０１１９】
［実施例３］
本実例においては、めくり操作中の付箋と対応するプレビュー表示内の変化がどれであるかを分かり易く明示するための実施例を、図面を参照しながら説明する。ハードウェア構成等は実施例１で説明したものと同様である。
【０１２０】
まずは、本発明におけるめくり操作中の付箋と対応するプレビュー表示内の変化を明示する一例について、図１２を参照して説明する。図１２はめくり操作中の付箋と変化させる表示との対応を明示する一例を示す図である。
【０１２１】
図１２（ａ）は２ｉｎ１印刷とステイプルの２つの異なる設定内容が定義された付箋が、同一の設定対象に同時に設定されている場合を示した図である。
【０１２２】
１２０１はプレビューであり、２ｉｎ１印刷とステイプルの２つが設定されている状態を表示している。２ｉｎ１設定表示１２０４とステイプル設定表示１２０５がプレビュー１２０１上に表示されている。
【０１２３】
１２０２は付箋であり、２ｉｎ１印刷と対応付けられた付箋が貼られた状態を示している。
【０１２４】
１２０３は付箋であり、ステイプルと対応付けられた付箋が貼られた状態を示している。
【０１２５】
１２０６はポインタであり、付箋１２０３を指し示している状態である。
【０１２６】
図１２（ｂ）は図１２（ａ）の状態からステイプルの付箋を少しめくった状態を示した図である。
【０１２７】
１２０７はポインタであり、図１２（ａ）よりさらに左方向へドラッグ操作を行った状態を示している。
【０１２８】
１２０８は付箋であり、ポインタ１２０７によるドラッグ操作により２割程度めくられた状態を示している。ここで、付箋めくり具合検出部２０４はめくり操作を開始したと判断し、設定状態表示部２０５に対して表示の変化を依頼する。
【０１２９】
１２０９はプレビューであり、ステイプル設定表示１２０５のみが表示され、２ｉｎ１設定表示１２０４は消えている状態である。これは、付箋めくり具合検出部２０４がめくり操作を開始したと判断した際に、設定状態表示部２０５に対して付箋１２０８に関連する表示以外は削除するという依頼を行ったためである。
【０１３０】
このように、めくり操作を開始した場合にそのめくり操作を行っている付箋に関連する表示のみを残し、それ以外を削除することで、付箋操作に対する表示の変化の様子を見易くすることができる。
【０１３１】
また、操作した付箋と変化した表示との対応関係を明示する他の方法の例としては、変化させる表示以外の表示を薄くしたり、変化させる表示の色を変えたりすることなどが考えられる。
【０１３２】
次に、本発明におけるめくり操作中の付箋と表示を変化させる部分との対応を明示する処理の一例について、図１３を参照して説明する。図１３は、めくり操作中の付箋と変化させる表示との対応を明示させる表示変化処理一例を示すフローチャートである。
【０１３３】
ステップＳ８０１は付箋めくり具合検出処理であり、図８の説明にて述べた通り、付箋がどの程度めくられた状態にあるかを検出する。ここでは付箋がめくれた割合を検出するものとする。
【０１３４】
ステップＳ１３０１では、ステップＳ８０１にてめくり具合を検出した付箋に対応付けられた機能が設定状態にあるかを判断する。機能が設定状態にある場合はステップＳ１３０２へと進む（ステップ１３０１にてＹＥＳ）。機能が未設定状態にある場合はステップＳ１３０３へと進む（ステップ１３０１にてＮＯ）。
【０１３５】
ステップＳ１３０２では、ステップＳ８０１にて検出されためくり具合が２割以上になったかを判断する。本図の例では２割としているが、他の数字でも構わないし、小数点以下が存在しても良い。この数字は実施する際にちょうど良いと思える数字に調整すれば良い。ここでは、めくり具合が２割以上と判断された場合はステップＳ１３０４へと進む（ステップＳ１３０２にてＹＥＳ）。めくり具合が２割より小さいと判断された場合はステップＳ１３０４の処理をスキップする（ステップＳ１３０２にてＮＯ）。
【０１３６】
ステップＳ１３０３では、ステップＳ８０１にて検出されためくり具合が８割以下になったかを判断する。本図の例では８割としているが、他の数字でも構わないし、小数点以下が存在しても良い。この数字は実施する際にちょうど良いと思える数字に調整すれば良い。ここでは、めくり具合が８割以下と判断された場合はステップＳ１３０４へと進む（ステップＳ１３０３にてＹＥＳ）。めくり具合が８割より大きいと判断された場合はステップＳ１３０４の処理をスキップする（ステップＳ１３０３にてＮＯ）。
【０１３７】
ステップＳ１３０４は対応関係明示処理であり、ステップＳ８０１にてめくり具合が検出された付箋と、その付箋に対応付けられた機能に関連する表示との対応関係を明示する。明示する方法は図１２の説明にて述べたように、関連する表示以外の表示を消したり、表示薄くしたり、関連する表示自身の色を変えるなどがある。
【０１３８】
このような処理を行うことで、付箋が貼られた状態から２割程度のめくり始めた際に、付箋と変化させる表示との対応関係が明示される。また、付箋をこれから貼る際に付箋が８割程度めくられた状態、すなわち２割程度の貼り始めた際に、付箋と変化させる表示との対応関係が明示される。つまり、付箋を貼り始める、または付箋を剥がし始めると付箋と変化させる表示との対応関係が明示されるようになる。
【０１３９】
ステップＳ１１０１からステップＳ１１０３は図１１の説明で述べた通りである。ステップＳ１３０４までの処理によって付箋と変化させる表示との対応関係が明示された状態で、ステップＳ１１０１以降の付箋のめくり具合に応じた表示の変化が行われる。このため、付箋を操作したことにより変化していく表示が明示された状態で変化していくため、見易くなる。
【０１４０】
以上のように、本実施例の情報処理装置１００においては、操作者が操作した付箋とそのために変化した表示の対応関係を明示することにより、変化していく表示が見易くなる。これにより、変化を見逃さないために操作を何度も繰り返すといった手間が軽減される。
【０１４１】
［実施例４］
本実例においては、実施例１〜３で説明した付箋の形状と付箋のめくり操作の方法についての実施例を、図１４を参照しながら説明する。
【０１４２】
まずは、本発明における付箋が剥がせるようにみえる形状の一例について、図１４（ａ）を参照して説明する。図１４（ａ）は付箋が剥がせるように見える形状の一例を示す図である。
【０１４３】
１４０１は付箋であり、右側が少し浮いた状態に見えるよう、右側に行くほど湾曲した図柄としている。
【０１４４】
１４０２は付箋の影であり、付箋１４０１の右側の方が少し浮いた状態としているため、影も右側に行くほど範囲が大きくなるようにしている。
【０１４５】
こうすることで、浮いて見えている付箋の右側が剥がせるように見える。本図の例では影を付けたが、付箋の湾曲だけで表現しても良い。本図の例では付箋の右側を浮かせたような図柄としたが、方向はどの方向でも良く、複数方向がめくれていても良い。本図の例では付箋を横長の長方形としたが、特に形状に決まりはなく、縦長でも正方形でも三角や丸など、どのような形状でも構わない。
【０１４６】
次に、本発明における一方向からの付箋のめくり操作を有効とする一例について、図１４（ｂ）を参照して説明する。図１４（ｂ）は一方向からの操作でのみ付箋のめくり操作を有効とする一例を示す図である。
【０１４７】
１５０１はポインタであり、付箋１４０１を指し示している。
【０１４８】
１５０２はめくり方向であり、左方向へのめくり操作が可能であることを示している。この矢印は画面に表示される必要は無い。この矢印の方向にポインタ１５０１にてドラッグ操作することにより付箋１４０１をめくることができる。この際、操作入力処理部２０１はドラッグ操作の座標の変化を検出し、その座標の移動方向を検出する方向検出処理を行う。そして、付箋めくり具合制御部２０３は、その移動方向が予め規定された方向であった場合に付箋がめくられた状態へと表示を変化させる。付箋１４０１の右側が浮いた状態で表示しているため、右側から左方向へのめくり操作を受け付けるのが直感的となる。反対に左側から右方向へのドラッグ操作は受け付けない。これは付箋の左側はのり付けされているように表示しているため、左側から右方向へのめくり操作を受け付けないのが直感的である。
【０１４９】
このようにめくり操作を受け付ける方向を限定することで、誤って剥がしてしまうといった誤操作を防ぐことができる。ただし、限定する方向は複数方向あっても良いし、必ずしも一方向からのドラッグ操作でのみ剥がせるとする必要はない。
【０１５０】
１５０３はめくり開始可能範囲であり、この範囲内からのドラッグ操作のみ付箋のめくり操作として受け付ける。こうすることで、誤って剥がしてしまうといった誤操作を防ぐことができる。ただし、必ずしもめくり開始可能範囲を設ける必要は無い。
【０１５１】
また、タッチ操作の圧力を検出できるタッチパネルを用いた場合には、タッチ操作の圧力が閾値以上の場合のみ付箋をめくることができるとしても良い。こうすることで、より誤操作を防ぐことができる。ただし、必ずしもタッチ操作の圧力を考慮する必要は無い。
【０１５２】
以上のように、本実施例の情報処理装置１００においては、付箋がめくれることを直感的に感じられる図柄にて表示することで、操作者に対してめくる操作を促すことができる。また、めくれて見えている方向の一部分から開始した一方向へのドラッグ操作のみ付箋のめくり操作として受け付けることで、操作者の誤操作を防ぐことができる。
【０１５３】
［他の実施形態］
以上、実施形態を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【０１５４】
また、本発明は、上記第１乃至第３の実施形態と同等の処理を、コンピュータプログラムでも実現できる。この場合、上述した構成要素の各々は関数、もしくはＣＰＵが実行するサブルーチンで機能させれば良い。また、通常、コンピュータプログラムは、ＣＤ−ＲＯＭ等のコンピュータ可読記憶媒体に格納されており、それを、コンピュータが有する読取り装置（ＣＤ−ＲＯＭドライブ等）にセットし、システムにコピーもしくはインストールすることで実行可能になる。従って、かかるコンピュータ可読記憶媒体も本発明の範疇にあることは明らかである。
【符号の説明】
【０１５５】
１００  情報処理装置
１０１  バス
１０２  ＣＰＵ
１０３  ＲＯＭ
１０４  ＲＡＭ
１０５  記憶装置
１０６  外部記憶装置
１０７  情報入力装置
１０８  情報出力装置
【図１】
2011008400.tif 000003
【図２】
2011008400.tif 000004
【図３】
2011008400.tif 000005
【図４】
2011008400.tif 000006
【図５】
2011008400.tif 000007
【図６】
2011008400.tif 000008
【図７】
2011008400.tif 000009
【図８】
2011008400.tif 000010
【図９】
2011008400.tif 000011
【図１０】
2011008400.tif 000012
【図１１】
2011008400.tif 000013
【図１２】
2011008400.tif 000014
【図１３】
2011008400.tif 000015
【図１４】
2011008400.tif 000016